(57)【要約】      （修正有）【課題】中詰め材が投入されるケーソンの内部空間を形作る壁体の内部空間面が鋼製であるにも関わらず、当該内部空間面に損傷が発生しにくいケーソンの構造を提供する。【解決手段】中詰め材が投入される内部空間を有するケーソンの構造１０であって、内部空間に面する内部空間面５４Ａ１ａを有して内部空間を形作る壁体５４Ａと、壁体５４Ａの内部空間面５４Ａ１ａの少なくとも一部の部位に沿うように内部空間の中に設置されているエキスパンドメタル１２とを有してなり、内部空間を形作る壁体５４Ａの内部空間面５４Ａ１ａは鋼製であり、エキスパンドメタル１２は内部空間面５４Ａ１ａから距離を置いて設置されている。【選択図】図４
2018053451.tif 000002
【特許請求の範囲】
【請求項１】
中詰め材が投入される内部空間を有するケーソンの構造であって、
前記内部空間に面する内部空間面を有して前記内部空間を形作る壁体と、
前記壁体の前記内部空間面の少なくとも一部の部位に沿うように前記内部空間の中に設置されているエキスパンドメタルと、
を有してなり、
前記内部空間を形作る前記壁体の前記内部空間面は鋼製であり、
前記エキスパンドメタルは前記内部空間面から距離を置いて設置されていることを特徴とするケーソンの構造。
【請求項２】
前記内部空間面には、鋼製の水平リブ材がその長手方向が略水平方向となるように取り付けられており、かつ、前記鋼製の水平リブ材には前記エキスパンドメタルが前記鋼製の水平リブ材よりも前記内部空間の中心に近い側になるように取り付けられていることを特徴とする請求項１に記載のケーソンの構造。
【請求項３】
前記エキスパンドメタルは、そのＳＷ方向が略鉛直方向となるように設置されていることを特徴とする請求項２に記載のケーソンの構造。
【請求項４】
前記エキスパンドメタルは、そのＬＷ方向が略鉛直方向となるように設置されていることを特徴とする請求項２に記載のケーソンの構造。
【請求項５】
前記鋼製の水平リブ材をその長手方向と直交する平面で切断して得られる切断面は、長手方向が略水平方向となる部位と、長手方向が略鉛直方向となる部位とを有してなることを特徴とする請求項２〜４のいずれかに記載のケーソンの構造。
【請求項６】
前記鋼製の水平リブ材の部位のうち、前記切断面において長手方向が略水平方向となる部位が、前記内部空間面に取り付けられていることを特徴とする請求項５に記載のケーソンの構造。
【請求項７】
前記鋼製の水平リブ材の部位のうち、前記切断面において長手方向が略鉛直方向となる部位の前記内部空間の中心に近い側の面に、前記エキスパンドメタルが取り付けられていることを特徴とする請求項５または６に記載のケーソンの構造。
【請求項８】
前記ケーソンは、鋼板とコンクリートを有してなる合成版構造を備えてなるハイブリッドケーソンであることを特徴とする請求項１〜７のいずれかに記載のケーソンの構造。
【発明の詳細な説明】
【技術分野】
【０００１】
本発明は、ケーソンの構造に関し、中詰め材が投入されるケーソンの内部空間を形作る壁体の前記内部空間に面する面（以下、内部空間面と記すことがある。）が鋼製である場合に特に好適に用いることができる。
【背景技術】
【０００２】
水底に設置するケーソンにおいては、当該ケーソンを水面上に浮かせた状態で設置地点まで曳航または回航し、そして設置地点において、当該ケーソンの内部空間に中詰め材を投入して当該ケーソンを水底に据え付けるという方法が一般的に用いられている。
【０００３】
一方、水底に据え付けるケーソンの内部空間に中詰め材を投入する際には、ケーソンを構成する部材が損傷しないように、保護材で覆う等の対策を講じる必要がある（例えば、非特許文献１参照）。
【０００４】
しかしながら、非特許文献１には、投入する中詰め材がケーソンを構成する部材に損傷を与えないようにするための具体的な構成は記載されていない。
【先行技術文献】
【非特許文献】
【０００５】
【非特許文献１】初級・中級技術者のための港湾工事施工実務（改訂版）、（一般財団法人）港湾空港総合技術センター発行、平成２３年１月、第８章  中詰工、8-5ページ
【発明の概要】
【発明が解決しようとする課題】
【０００６】
本発明者は、中詰め材が投入されるケーソンの内部空間を形作る壁体の内部空間面が鋼製である場合、投入された中詰め材が前記内部空間面に衝突すると、衝突を受けた前記内部空間面に損傷が発生しやすいこと、特に、投入する中詰め材が水砕メタルのような硬い材質であると、衝突を受けた前記内部空間面に損傷が発生しやすいことを見出した。
【０００７】
本発明は、その対策を考究する中でなされたものであって、中詰め材が投入されるケーソンの内部空間を形作る壁体の内部空間面が鋼製であるにも関わらず、当該内部空間面に損傷が発生しにくいケーソンの構造を提供することを課題とする。
【課題を解決するための手段】
【０００８】
本発明は、以下のケーソンの構造により、前記課題を解決したものである。
【０００９】
即ち、本発明に係るケーソンの構造は、中詰め材が投入される内部空間を有するケーソンの構造であって、前記内部空間に面する内部空間面を有して前記内部空間を形作る壁体と、前記壁体の前記内部空間面の少なくとも一部の部位に沿うように前記内部空間の中に設置されているエキスパンドメタルと、を有してなり、前記内部空間を形作る前記壁体の前記内部空間面は鋼製であり、前記エキスパンドメタルは前記内部空間面から距離を置いて設置されていることを特徴とするケーソンの構造である。
【００１０】
ここで、前記壁体の内部空間面とは、前記壁体の面のうち、前記内部空間に面する面のことである。
【００１１】
前記内部空間面には、鋼製の水平リブ材がその長手方向が略水平方向となるように取り付けられており、かつ、前記鋼製の水平リブ材には前記エキスパンドメタルが前記鋼製の水平リブ材よりも前記内部空間の中心に近い側になるように取り付けられているように構成してもよい。
【００１２】
前記エキスパンドメタルは、そのＳＷ方向が略鉛直方向となるように設置されていることが好ましい。
【００１３】
ここで、エキスパンドメタルのＳＷ方向とは、当該エキスパンドメタルを作製するときに金属板に入れられる千鳥配列の切れ目の長手方向とは直交する方向（前記金属板の平面方向で、かつ、前記千鳥配列の切れ目の長手方向とは直交する方向）のことである。
【００１４】
また、前記エキスパンドメタルは、そのＬＷ方向が略鉛直方向となるように設置されていてもよい。
【００１５】
ここで、エキスパンドメタルのＬＷ方向とは、当該エキスパンドメタルを作製するときに金属板に入れられる千鳥配列の切れ目の長手方向のことである。
【００１６】
前記鋼製の水平リブ材をその長手方向と直交する平面で切断して得られる切断面が、長手方向が略水平方向となる部位と、長手方向が略鉛直方向となる部位とを有してなるように構成してもよい。
【００１７】
前記鋼製の水平リブ材の部位のうち、前記切断面において長手方向が略水平方向となる部位が、前記内部空間面に取り付けられているように構成してもよい。
【００１８】
前記鋼製の水平リブ材の部位のうち、前記切断面において長手方向が略鉛直方向となる部位の前記内部空間の中心に近い側の面に、前記エキスパンドメタルが取り付けられているように構成してもよい。
【００１９】
前記ケーソンは、鋼板とコンクリートを有してなる合成版構造を備えてなるハイブリッドケーソンであってもよい。
【発明の効果】
【００２０】
本発明に係るケーソンの構造によれば、中詰め材が投入されるケーソンの内部空間を形作る壁体の内部空間面が鋼製であるにも関わらず、当該内部空間面に損傷が発生しにくい。
【図面の簡単な説明】
【００２１】
【図１】本発明の実施形態の適用対象となるハイブリッドケーソンの一例（ハイブリッドケーソン５０）の斜視図
【図２】本発明の実施形態の適用対象となるハイブリッドケーソンの他の例（ハイブリッドケーソン７０）を上方から見た平面図
【図３】図２のＩＩＩ−ＩＩＩ線断面図
【図４】本発明の実施形態に係るケーソンの構造１０の鉛直断面図
【図５】図４のＶ部拡大図
【図６】図４において、水平リブ５４Ａ３に代えて平鋼６０を水平リブとして用いた場合の鉛直断面図
【図７】図４において、水平リブ５４Ａ３に代えて溝形鋼６２を水平リブとして用いた場合の鉛直断面図
【図８】エキスパンドメタル１２の正面図
【図９】図８のエキスパンドメタル１２の一部を拡大して示す拡大正面図
【発明を実施するための形態】
【００２２】
以下では、ケーソンとしてハイブリッドケーソンを取り上げ、図面を参照しつつ、本発明の実施形態を詳細に説明する。ただし、ハイブリッドケーソンは本発明の適用対象となるケーソンの一例であり、本発明の適用対象となるケーソンがハイブリッドケーソンに限定されるわけではない。
【００２３】
（本発明の実施形態の適用対象となるハイブリッドケーソン）
本発明の実施形態の適用対象となるハイブリッドケーソンの例を図１〜図３に示す。図１は、本発明の実施形態の適用対象となるハイブリッドケーソンの一例（ハイブリッドケーソン５０）の斜視図であり、図２は本発明の実施形態の適用対象となるハイブリッドケーソンの他の例（ハイブリッドケーソン７０）を上方から見た平面図であり、図３は図２のＩＩＩ−ＩＩＩ線断面図である。
【００２４】
本発明の実施形態の適用対象となるハイブリッドケーソンの一例であるハイブリッドケーソン５０は、捨石マウンド等の水底構造物や水底から反力を受けるフーチング部５２と、フーチング部５２の上に構築される直方体状の本体部５４とを有してなる。直方体状の本体部５４は側面となる４つの壁体を有してなり、水平方向の幅が長い対向する２つの長辺壁体５４Ａと、水平方向の幅が短い対向する２つの短辺壁体５４Ｂとを有してなり、これらの４つの壁体によって、内部空間５６が形成されている。
【００２５】
また、本体部５４は、内部空間５６を長辺方向に区切るように、内部空間５６の中に鋼板隔壁５４Ｃおよびトラス隔壁５４Ｄを有している。鋼板隔壁５４Ｃは、内部空間５６をさらに小さい内部空間５６Ａに仕切る壁体であり、鋼板隔壁５４Ｃは、内部空間５６Ａに面する内部空間面５４Ｃ１を有して内部空間５６Ａを形作る壁体である。
【００２６】
また、長辺壁体５４Ａおよび短辺壁体５４Ｂは、鋼板とコンクリートを有してなる合成版構造であり、長辺壁体５４Ａは内部空間５６に面した側に内壁面鋼板５４Ａ１を有し、内部空間５６とは反対側（以下、外面側と記すことがある。）に外壁コンクリート５４Ａ２を有してなり、短辺壁体５４Ｂは内部空間５６に面した側に内壁面鋼板５４Ｂ１を有し、内部空間５６とは反対側に外壁コンクリート５４Ｂ２を有してなる。内壁面鋼板５４Ａ１と外壁コンクリート５４Ａ２とは、内壁面鋼板５４Ａ１の外面側に溶植されたスタッド５４Ａ１ｂによって強固に連結されている。同様に、内壁面鋼板５４Ｂ１と外壁コンクリート５４Ｂ２も、スタッド５４Ａ１ｂと同様のスタッド（図示せず）により強固に連結されている。ハイブリッドケーソン５０は、合成版構造である長辺壁体５４Ａおよび短辺壁体５４Ｂを備えてなるハイブリッドケーソンである。
【００２７】
また、長辺壁体５４Ａの内壁面鋼板５４Ａ１は、内部空間５６に面する内部空間面５４Ａ１ａに水平リブ５４Ａ３と鉛直リブ５４Ａ４とを有しており、短辺壁体５４Ｂの内壁面鋼板５４Ｂ１は、内部空間５６に面する内部空間面５４Ｂ１ａに水平リブ５４Ｂ３を有している。また、鋼板隔壁５４Ｃは、その両面とも、内部空間５６Ａに面する内部空間面５４Ｃ１であり、内部空間面５４Ｃ１のどちらの面にも水平リブ５４Ｃ２を有している。水平リブ５４Ａ３、５４Ｂ３、５４Ｃ２は長手方向が略水平方向となる水平リブ材であり、鉛直リブ５４Ａ４は長手方向が略鉛直方向となる鉛直リブ材である。水平リブ５４Ａ３、５４Ｂ３、５４Ｃ２および鉛直リブ５４Ａ４はいずれも鋼製である。
【００２８】
本発明の実施形態の適用対象となるハイブリッドケーソンの他の例であるハイブリッドケーソン７０は、先に説明したハイブリッドケーソン５０と略同様であるが、本体部５４の長辺方向の長さの短辺方向の長さに対する比がハイブリッドケーソン５０よりも大きい点、鉛直リブ５４Ａ４を有しない点、隔壁については鋼板からなる鋼板隔壁５４Ｃのみを有してトラス構造からなるトラス隔壁５４Ｄを有しない点、およびガセットプレート７２を有する点が相違する。ガセットプレート７２は、内壁面鋼板５４Ａ１と鋼板隔壁５４Ｃとの連結部を補強する板状の水平部材である。ハイブリッドケーソン７０の部位のうち、ハイブリッドケーソン５０と対応する部位で、ハイブリッドケーソン５０における説明と同様の説明の当てはまる部位については原則として同一の符号を付して説明は省略する。
【００２９】
（本発明の実施形態に係るケーソンの構造）
本発明の実施形態に係るケーソンの構造１０は、ハイブリッドケーソン７０を例として取り上げた実施形態である。
【００３０】
図４は本発明の実施形態に係るケーソンの構造１０の鉛直断面図であり、図３のＩＶ−ＩＶ線断面図に相当する。図５は図４のＶ部拡大図である。
【００３１】
本発明の実施形態に係るケーソンの構造１０は、長辺壁体５４Ａと、短辺壁体５４Ｂと、鋼板隔壁５４Ｃと、エキスパンドメタル１２とを有してなる。
【００３２】
長辺壁体５４Ａおよび短辺壁体５４Ｂが、ハイブリッドケーソン７０の内部空間７４を形作っており、鋼板隔壁５４Ｃが内部空間７４をさらに小さい内部空間７４Ａに仕切っている。したがって、内部空間７４Ａは、長辺壁体５４Ａ、短辺壁体５４Ｂおよび鋼板隔壁５４Ｃによって形作られている。
【００３３】
また、長辺壁体５４Ａの内部空間７４に面した側に鋼製の内壁面鋼板５４Ａ１が備えられており、短辺壁体５４Ｂの内部空間７４に面した側に鋼製の内壁面鋼板５４Ｂ１が備えられている。
【００３４】
内壁面鋼板５４Ａ１の内部空間７４に面する内部空間面５４Ａ１ａには、長手方向が略水平方向となるように鋼製の水平リブ５４Ａ３が上下方向に所定のピッチで複数備えられており、内壁面鋼板５４Ｂ１の内部空間７４に面する内部空間面５４Ｂ１ａには、長手方向が略水平方向となるように鋼製の水平リブ５４Ｂ３が上下方向に所定のピッチで複数備えられている。また、鋼板隔壁５４Ｃの両面の内部空間面５４Ｃ１には、長手方向が略水平方向となるように鋼製の水平リブ５４Ｃ２が上下方向に所定のピッチで複数備えられている。
【００３５】
以下では、長辺壁体５４Ａならびにそれに関連した部材である内壁面鋼板５４Ａ１および水平リブ５４Ａ３を具体的に取り上げて、本実施形態に係るケーソンの構造１０について説明するが、短辺壁体５４Ｂならびにそれに関連した部材である内壁面鋼板５４Ｂ１および水平リブ５４Ｂ３を具体的に取り上げて行う本実施形態に係るケーソンの構造１０についての説明も同様の説明となる。また、鋼板隔壁５４Ｃおよび水平リブ５４Ｃ２を具体的に取り上げて行う本実施形態に係るケーソンの構造１０についての説明も同様の説明となる。したがって、短辺壁体５４Ｂならびにそれに関連した部材である内壁面鋼板５４Ｂ１および水平リブ５４Ｂ３ならびに鋼板隔壁５４Ｃおよび水平リブ５４Ｃ２を具体的に取り上げて、本実施形態に係るケーソンの構造１０の説明を行うことは省略する。
【００３６】
鋼製の水平リブ５４Ａ３をその長手方向と直交する平面で切断して得られる切断面は、図５に示すように、長手方向が略水平方向となる水平部位５４Ａ３ａと、長手方向が略鉛直方向となる鉛直部位５４Ａ３ｂとを有してなり、水平リブ５４Ａ３は山形鋼である。水平リブ５４Ａ３の水平部位５４Ａ３ａが内壁面鋼板５４Ａ１の内部空間面５４Ａ１ａに溶接で取り付けられている。
【００３７】
エキスパンドメタル１２は、水平リブ５４Ａ３の鉛直部位５４Ａ３ｂの内部空間７４（７４Ａ）の中心に近い側の面に、溶接で取り付けられており、エキスパンドメタル１２は内壁面鋼板５４Ａ１から距離を置いて設置されている。エキスパンドメタル１２は、長手方向が略水平方向である水平リブ５４Ａ３に取り付けられているが、長手方向が略鉛直方向である鉛直リブ材には取り付けられていないため、上下方向（鉛直方向）は拘束されているが、左右方向（水平方向）は拘束されていない。
【００３８】
また、エキスパンドメタル１２は、図４に示すように、上部を除き、内壁面鋼板５４Ａ１に沿うように内壁面鋼板５４Ａ１と略平行に設置されている。
【００３９】
エキスパンドメタル１２は、鋼製の水平リブ５４Ａ３よりも内部空間７４（７４Ａ）に近い側になるように、水平リブ５４Ａ３の鉛直部位５４Ａ３ｂに取り付けられているので、内部空間７４（７４Ａ）に投入された中詰め材（図示せず）のうち所定の大きさ以上のものは、内壁面鋼板５４Ａ１または水平リブ５４Ａ３に直接衝突することはなく、エキスパンドメタル１２に衝突する。投入された中詰め材がエキスパンドメタル１２と衝突しても、投入された中詰め材の衝撃力の大半はエキスパンドメタル１２に吸収されるので、内壁面鋼板５４Ａ１および水平リブ５４Ａ３に損傷が生じることが防止される。
【００４０】
なお、本実施形態で用いる鋼製の水平リブ５４Ａ３の断面形状（長手方向と直交する平面で切断して得られる切断面における断面形状）は図５に示すような山形の形状であり、水平リブ５４Ａ３は山形鋼であったが、本発明で用いることができる水平リブ材は山形鋼に限定されるわけではなく、例えば、図６に示すように平鋼６０を水平リブ材として用いてもよく、また、例えば、図７に示すように溝形鋼６２を水平リブ材として用いてもよい。
【００４１】
中詰め材は、ハイブリッドケーソン７０の上部に配置されたスライダ８０を用いて、ハイブリッドケーソン７０の内部空間７４（７４Ａ）に投入される。
【００４２】
本発明の実施形態に係るケーソンの構造１０の中心的な役割を果たすエキスパンドメタル１２について、図８および図９を用いてさらに説明する。
【００４３】
図８は、エキスパンドメタル１２の正面図であり、図９はその一部を拡大して示す拡大正面図である。
【００４４】
図８および図９に示すように、エキスパンドメタル１２は菱形状の網目からなる構造であり、金属板に千鳥配列の切れ目を入れて、その切れ目を押し広げるように加工して作製されている。したがって、エキスパンドメタル１２は一体的に形成されており、軽量であるにも関わらず、強度的に優れる部材である。
【００４５】
エキスパンドメタル１２のＳＷ方向とは、エキスパンドメタル１２を作製するときに金属板に入れられる千鳥配列の切れ目の長手方向とは直交する方向（前記金属板の平面方向で、かつ、前記千鳥配列の切れ目の長手方向とは直交する方向）のことである。
【００４６】
また、エキスパンドメタル１２のＬＷ方向とは、エキスパンドメタル１２を作製するときに金属板に入れられる千鳥配列の切れ目の長手方向のことである。
【００４７】
エキスパンドメタル１２の強度は、ＳＷ方向とＬＷ方向とでは異なり、ＳＷ方向の強度の方がＬＷ方向の強度よりも小さくなっている。しかしながら、ＳＷ方向の方がＬＷ方向よりも塑性変形しやすいので、衝撃の吸収力はＳＷ方向の方がＬＷ方向よりも大きくなる。したがって、エキスパンドメタル１２は、ＳＷ方向が上下方向（長辺壁体５４Ａの内壁面（内壁面鋼板５４Ａ１）に沿う上下方向）となるように水平リブ５４Ａ３に取り付けて設置することが好ましい。エキスパンドメタル１２が、内部空間７４（７４Ａ）に投入される中詰め材から受ける衝撃力を吸収することで、内壁面鋼板５４Ａ１および水平リブ５４Ａ３は損傷を受けにくくなる。
【００４８】
ただし、投入する中詰め材の種類や大きさ、ハイブリッドケーソン７０の内部空間７４（７４Ａ）の高さ等によっては、ＬＷ方向が上下方向（長辺壁体５４Ａの内壁面（内壁面鋼板５４Ａ１）に沿う上下方向）となるようにエキスパンドメタル１２を水平リブ５４Ａ３に取り付けて設置しても、内壁面鋼板５４Ａ１および水平リブ５４Ａ３の損傷を十分に抑制できることも考えられる。この場合には、ＬＷ方向が上下方向（長辺壁体５４Ａの内壁面（内壁面鋼板５４Ａ１）に沿う上下方向）となるようにエキスパンドメタル１２を水平リブ５４Ａ３に取り付けて設置してもよい。また、投入する中詰め材の種類や大きさ、ハイブリッドケーソン７０の内部空間７４（７４Ａ）の高さ等との関係で、エキスパンドメタル１２に要求される強度が大きくなる場合は、ＬＷ方向が上下方向（長辺壁体５４Ａの内壁面（内壁面鋼板５４Ａ１）に沿う上下方向）となるようにエキスパンドメタル１２を水平リブ５４Ａ３に取り付けて設置した方が好ましい場合も考えられる。
【００４９】
用いるエキスパンドメタル１２の断面性能については、投入する中詰め材の種類や大きさ、ハイブリッドケーソン７０の内部空間７４（７４Ａ）の高さ等に合わせて適宜に設計すればよく、また、エキスパンドメタル１２の菱形状の網目の大きさについては、投入する中詰め材の大きさに合わせて適宜に設計すればよい。
【００５０】
また、エキスパンドメタル１２の材質は、所定の衝撃吸収力および強度が得られるのであれば、特には限定されず、鋼製以外でもよく、例えば、アルミニウム製にしてもよい。
【００５１】
また、本実施形態においては、鋼製の水平リブ５４Ａ３の水平部位５４Ａ３ａを内壁面鋼板５４Ａ１の内部空間面５４Ａ１ａに溶接で取り付けるようにしたが、鋼製の水平リブ５４Ａ３の内部空間面５４Ａ１ａへの取り付け方法は溶接に限定されるわけではなく、例えば機械的な接合によって取り付けてもよい。
【００５２】
また、本実施形態においては、エキスパンドメタル１２は、水平リブ５４Ａ３の鉛直部位５４Ａ３ｂの内部空間７４（７４Ａ）の中心に近い側の面に、溶接で取り付けるようにしたが、エキスパンドメタル１２の水平リブ５４Ａ３への取り付け方法は溶接に限定されるわけではなく、例えば機械的な接合によって取り付けてもよい。
【００５３】
なお、投入する中詰め材の種類や大きさ、ハイブリッドケーソン７０の内部空間７４（７４Ａ）の高さ、中詰め材の投入位置および投入方向等によっては、短辺壁体５４Ｂの内部空間面５４Ｂ１ａや鋼板隔壁５４Ｃの内部空間面５４Ｃ１に沿うエキスパンドメタル１２を設置しなくても、短辺壁体５４Ｂの内壁面鋼板５４Ｂ１および水平リブ５４Ｂ３ならびに鋼板隔壁５４Ｃおよび水平リブ５４Ｃ２に損傷が生じるおそれが実質的にないことも考え得る。この場合には、長辺壁体５４Ａの内部空間面５４Ａ１ａに沿うエキスパンドメタル１２のみを設置して、短辺壁体５４Ｂの内部空間面５４Ｂ１ａや鋼板隔壁５４Ｃの内部空間面５４Ｃ１に沿う上下方向にエキスパンドメタル１２を設置することは省略してもよい。
【００５４】
また、長辺壁体５４Ａの内部空間面５４Ａ１ａに沿うエキスパンドメタル１２についても、長辺壁体５４Ａの内部空間面５４Ａ１ａの全面に沿うように設置せずに、一部の面に沿うように設置するのみで、内壁面鋼板５４Ａ１、５４Ｂ１および鋼板隔壁５４Ｃならびに水平リブ５４Ａ３、５４Ｂ３、５４Ｃ２に損傷が生じるおそれが実質的にない場合には、長辺壁体５４Ａの内部空間面５４Ａ１ａの全面に沿うように設置せずに、一部の面に沿うように設置するのみでもよい。
【符号の説明】
【００５５】
１０…ケーソンの構造
１２…エキスパンドメタル
５０、７０…ハイブリッドケーソン
５２…フーチング部
５４…本体部
５４Ａ…長辺壁体
５４Ａ１、５４Ｂ１…内壁面鋼板
５４Ａ１ａ、５４Ｂ１ａ、５４Ｃ１…内部空間面
５４Ａ１ｂ…スタッド
５４Ａ２、５４Ｂ２…外壁コンクリート
５４Ａ３、５４Ｂ３、５４Ｃ２…水平リブ（山形鋼）
５４Ａ３ａ…水平部位
５４Ａ３ｂ…鉛直部位
５４Ａ４…鉛直リブ
５４Ｂ…短辺壁体
５４Ｃ…鋼板隔壁
５４Ｄ…トラス隔壁
５６、５６Ａ、７４、７４Ａ…内部空間
６０…平鋼
６２…溝形鋼
７２…ガセットプレート
８０…スライダ
【図１】
2018053451.tif 000003
【図２】
2018053451.tif 000004
【図３】
2018053451.tif 000005
【図４】
2018053451.tif 000006
【図５】
2018053451.tif 000007
【図６】
2018053451.tif 000008
【図７】
2018053451.tif 000009
【図８】
2018053451.tif 000010
【図９】
2018053451.tif 000011